【手続補正書】
【提出日】平成18年6月20日(2006.6.20)
【手続補正１】
【補正対象書類名】明細書
【補正対象項目名】特許請求の範囲
【補正方法】変更
【補正の内容】
【特許請求の範囲】
【請求項１】
限定されたビーム幅の通信信号を供給するアンテナを用いて地上局が通信するところの前記地上局と副軌道上のプラットホームとの間の通信連絡を維持する方法であって、
前記副軌道上のプラットホームがそのアンテナの信号のビーム幅以内に入るように前記副軌道上のプラットホームを位置決めし、前記アンテナの照準を合わせるステップと、
前記アンテナの照準を固定された方向に維持するステップと、
前記副軌道上のプラットホームを前記信号のビーム幅以内に維持するパターンで、前記副軌道上のプラットホームを飛行させるステップと、
を含む方法。
【請求項２】
前記航空機が、径４０００フィートの円及び１００フィートの高度範囲の境界内の静止局に実質的に維持されることを特徴とする請求項１に記載の方法。
【請求項３】
前記飛行させるステップが、少なくとも２００時間継続することを特徴とする請求項１に記載の方法。
【請求項４】
前記飛行させるステップが、少なくとも３０００時間継続することを特徴とする請求項１に記載の方法。
【請求項５】
前記副軌道上のプラットホームが航空機であることを特徴とする請求項１に記載の方法。
【請求項６】
衛星と地上局との間で通信するための通信システムであって、
限定された信号ビーム幅を有するところのものである前記衛星に備えられた下向き指向通信用アンテナと、
前記限定された信号ビーム幅を有するものであって、両信号ビーム幅内にある空間の静止領域の境界を限るように前記下向き指向通信用アンテナと向き合うものである前記地上局に備えられた上向き指向通信用アンテナと、
その境界を限るようにされた前記空間領域内に完全に入るパターンで飛行するように構成された副軌道上のプラットホームと、
を含む通信システム。
【請求項７】
前記副軌道上のプラットホームが、径４０００フィートの円及び１００フィートの高度範囲の境界内の静止局に実質的に維持されることを特徴とする請求項６に記載の通信システム。
【請求項８】
通信システムであって、
地上局と、
地球静止軌道上の宇宙船であって、前記地上局と前記宇宙船とが所与のビーム幅で作動することを特徴とする通信システムを有する前記宇宙船と、
前記宇宙船によって前記副軌道上のプラットホームに向けて送信される通信信号のビーム幅以内に地上局が入ることを防止し、前記地上局が前記副軌道上のプラットホームに向けて送信する通信信号のビーム幅以内に前記宇宙船が入ることを防止するような非赤道緯度に維持される副軌道上のプラットホームと、を含み、
前記地上局は、前記宇宙船との直接的な通信信号と、間接的な通信信号と、のいずれをも維持し、前記間接的な通信信号は、前記宇宙船に信号を中継する前記副軌道上のプラットホームに向けて方向づけられており、前記地上局からの前記直接的又は間接的な通信信号は、同一の波長を使用する通信システム。
【請求項９】
前記副軌道上のプラットホームが、少なくとも２００時間作動するように構成されていることを特徴とする請求項８に記載の通信システム。
【請求項１０】
前記副軌道上のプラットホームが、少なくとも３０００時間作動するように構成されていることを特徴とする請求項８に記載の通信システム。
【請求項１１】
前記副軌道上のプラットホームは、径４０００フィートの円及び１００フィートの高度範囲の境界内の局に前記航空機を実質的に維持するように構成されていることを特徴とする請求項８に記載の通信システム。
【請求項１２】
地球上のゲートウエイ及び複数の地球上の端末の間でデータを通信するための通信機構であって、
静止局内を飛行する航空機と、
前記航空機により運ばれ、少なくとも３つの下向き指向通信装置を有するネットワークと、を含む通信機構であって、各通信装置が通信のためビーム幅を規定し、前記航空機が所定の局の空域にあるとき、前記通信装置のビーム幅が、前記端末を含む区別される地球上の通信セルの境界を限るものであり、
前記ネットワークは、データを搬送する通信信号をゲートウエイで維持するように構成され、
前記通信装置は、前記ネットワーク及び前記複数の端末の間の通信信号によって搬送されるデータのルートを定めるように構成され、
各々の端子は通信信号を搬送するように設定された端末アンテナを有し、前記端末アンテナは、前記航空機の全てのフライトステーションが、前記端末アンテナの照準を調節することなく前記端末アンテナのビーム幅の範囲内に入るように構成されることを特徴とする通信機構。
【請求項１３】
前記ネットワークが、追加データを搬送する追加通信信号を追加ゲートウエイで維持するように構成され、かつ、
前記通信装置が、さらに、前記ネットワークと複数の端末との間の追加通信信号によって搬送されるデータのルートを定めるように構成されることを特徴とする請求項１２に記載の通信システム。
【請求項１４】
前記通信装置が、少なくとも２００時間燃料補給無しで空中にとどまるように構成された航空機により運ばれることを特徴とする請求項１２に記載の通信システム。
【請求項１５】
前記通信装置が、少なくとも３０００時間燃料補給無しで空中にとどまるように構成された航空機により運搬されることを特徴とする請求項１２に記載の通信システム。
【請求項１６】
前記端末アンテナが、能動追跡機構を含まないことを特徴とする請求項１２に記載の通信システム。
【請求項１７】
１又はそれ以上のゲートウエイと、複数の地球上端末と、の間でデータを通信するための通信システムであって、各端末は方向とビーム幅によって特徴づけられるアンテナを有する前記通信システムは、
第一航空機と、第二航空機と、を含む複数の航空機であって、各航空機は静止フライトステーション内にステーションキーピングする航空機と、
複数のネットワークと、を含み、ここで、各航空機は1つのネットワークを運び、各ネットワークは少なくとも３つの下向き指向通信装置を有し、各通信装置は通信のためのビーム幅を規定し、前記通信装置のビーム幅は、前記航空機が、前記航空機のフライトステーションにおける空中にあるとき、前記端末を含む区別される地球上の通信セルの境界を限るものであるが、
前記第一航空機と、前記第二航空機と、の前記ネットワークは、同一の波長を用いて、１又はそれ以上の同一の通信セルにおいて端子と通信できるよう構成されるものであり、
各ネットワークは１又はそれ以上のゲートウエイでもって通信を維持するように構成されており、
各通信装置は、それぞれのネットワーク及び１又はそれ以上の端末の間のそれぞれのネットワークのゲートウエイの通信によって搬送されるデータのルートを定めるように構成されており、
各航空機の局は、他の航空機と通信する端末アンテナの方向づけられた前記ビーム幅の外にあることを特徴とする通信システム。
【請求項１８】
各航空機が、少なくとも２００時間燃料補給無しで空中にとどまるように構成されていることを特徴とする請求項１７に記載の通信システム。
【請求項１９】
各航空機が、少なくとも３０００時間燃料補給無しで空中にとどまるように構成されていることを特徴とする請求項１７に記載の通信システム。
【請求項２０】
各端末アンテナは、通信状態にある前記航空機の局全体が、端末アンテナの方向を調節することなく前記端末アンテナのビーム幅の範囲内に入るよう構成されていることを特徴とする請求項１７に記載の通信システム。
【請求項２１】
前記端末アンテナが、能動追跡機構を含まないことを特徴とする請求項２０に記載の通信システム。